(57)【要約】【課題】藺草独特の風合いを損なうことなく装飾に利用できるようにした藺草織物を提供する。【解決手段】藺草類を畳み織りしてなる畳表の縦方向に隣接する横糸の間の藺草類を横方向に複数目ずつ結束して空所（１６）を形成し、複数の空所の組合せによって任意の、例えば幾何学模様あるいは動植物を素材とする模様を模様（１４，１５，２３，３３，４３，５３，６３）を構成する。畳表は龍鬢表が好ましい。この藺草類の織物は壁掛け（６０）、衝立類（２０，３０，４０，５０）  、組立て式深編み笠（１０）に適用することができる。【選択図】  図１
2004332167.tif 000002
【特許請求の範囲】
【請求項１】
藺草類を畳み織りしてなる畳表の縦方向に隣接する横糸の間の藺草類を横方向に複数目ずつ結束して空所を形成し、複数の上記空所の組合せによって任意の模様を構成するようになしたことを特徴とする藺草類の織物。
【請求項２】
上記畳表が龍鬢表である請求項１記載の藺草類の織物。
【請求項３】
請求項１又は２記載の藺草類の織物を上下の軸の間に張り渡し、上記複数の空所の組合せによって幾何学模様あるいは動植物を素材とする模様を構成するようにしたことを特徴とする壁掛け。
【請求項４】
請求項１又は２記載の藺草類の織物を枠体に張り、上記複数の空所の組合せによって幾何学模様あるいは動植物を素材とする模様を構成するようにしたことを特徴とする衝立類。
【請求項５】
請求項１又は２記載の藺草類の織物を円筒状に製作して胴部とし、上記複数の空所の組合せによって任意の模様状の目線部を構成する一方、上記胴部の上端開口に円板状の頂部を、下端開口に円形枠部を嵌めこみ、上記頂部に頭受け部材を支持するようにしたことを特徴とする組立て式深編み笠。
【発明の詳細な説明】
【０００１】
【発明の属する技術分野】
本発明は藺草類の織物に関し、特に藺草独特の風合いを損なうことなく装飾その他の用途に利用できるようにした織物に関する。
【０００２】
【従来の技術】
藺草は新しい間は青色を帯びた独特の風合いや感触を有し、藺草を織ったものは古くから畳表、ござ、花むしろ、編み笠、草履、枕あるいは座布団に利用されている。
【０００３】
最近、藺草の独特の風合いに着目し、藺草織物を壁掛け、衝立や屏風（以下では衝立及び屏風を衝立類という）等の装飾品に利用することも提案されている（例えば、特許文献１、特許文献２、特許文献３、等参照）。
【０００４】
【特許文献１】実開昭５８−２９４９９号公報
【特許文献２】実開昭６１−１６０７７５号公報
【特許文献３】実開平０２−１７３２９号公報
【０００５】
【発明が解決しようとする課題】
しかし、上記従来公報記載の装飾品は藺草織物の表面にスクリーン印刷等によって模様をプリントし、あるいは藺草織物の表面に装飾シートを貼りつけるようにしていたので、藺草独特の風合いが損なわれ、例えば和室の雰囲気にそぐわないという問題がある。
【０００６】
本発明はかかる問題点に鑑み、藺草独特の風合いを損なうことなく装飾に利用できるようにした藺草織物を提供することを課題とする。
【０００７】
【課題を解決するための手段】
そこで、本発明に係る藺草類の織物は、藺草類を畳み織りしてなる畳表の縦方向に隣接する横糸の間の藺草類を横方向に複数目ずつ結束して空所を形成し、複数の上記空所の組合せによって任意の模様を構成するようになしたことを特徴とする。
【０００８】
本発明の特徴の１つは畳表の藺草類を複数目結束して空所を形成し、複数の空所の組合せによって模様を構成するようにした点にある。これにより、スクリーン印刷等によって模様をプリントしあるいは藺草類の織物の表面に装飾シートを貼りつける場合のように藺草独特の風合いが損なわれることはなく、例えば和室の雰囲気にピッタリと適合した装飾品の素材として利用できる。
【０００９】
藺草類製の畳表は普通の藺草を用いた畳表であってもよいが、通常の畳表は藺草の目がつまりすぎ、複数目の藺草を結束し難いことがある。そこで、藺草の目のつまっていない龍鬢表とするのがよい。龍鬢表は夜露で湿らせ、天日で晒して赤く発色させた藺草で織り上げた畳表である。
【００１０】
また、上述の天然の藺草に代え、和紙を藺草状に加工し、これを畳み織りして天然の藺草の風合いを有する人工の畳表（例えば、大建工業株式会社製  商品名：床龍）、天然材とプラスチックとの複合材を藺草状に加工し、これを畳み織りして天然の藺草の風合いを有する人工の畳表（例えば、積水成型工業株式会社製：ケキスイ畳表）等を用いることもできる。請求項の「藺草類」とは天然の藺草以外に、上述の人工の藺草をも含まれることを意味している。
【００１１】
本発明に係る藺草類の織物は装飾品の用途に用いることができ、例えば壁掛け、衝立、屏風等の素材とすることができる。この場合、空所の組合せを適宜選択することによって用途に応じた模様を構成できる。
【００１２】
即ち、本発明によれば、上述の藺草類の織物を上下の軸の間に張り渡し、複数の空所の組合せによって幾何学模様あるいは動植物を素材とする模様を構成するようにした壁掛けを提供することができる。
【００１３】
また、本発明によれば、上述の藺草類の織物を枠体に張り、複数の空所の組合せによって幾何学模様あるいは動植物を素材とする模様を構成するようにした衝立類（衝立又は屏風）を提供することができる。
【００１４】
ところで、天蓋とは藺草をほぼ有蓋円筒状に編むととともに、胴部に目線部を形成した深編み笠で、虚無僧が頭からかぶる笠として知られ、現在でも尺八の愛好家等にはよく用いられている。しかし、従来の深編み笠は携帯し難く、しかも押しつぶされたように変形しやすいという難点があった。
【００１５】
本件発明者は上述の藺草類の織物で深編み笠の胴部を作ると、空所で目線部を構成でき、この胴部に円板状の頂部及び円形枠体を嵌め込むと、組立て式の深編み笠を構成できることを知見するに至った。
【００１６】
即ち、本発明によれば、上述の藺草類の織物を円筒状に製作して胴部とし、複数の空所の組合せによって任意の模様状の目線部を構成する一方、胴部の上端開口に円板状の頂部を、下端開口に円形枠部を嵌めこみ、頂部に頭受け部材を支持するようにした組立て式深編み笠を提供することができる。
【００１７】
この深編み笠は組立て式であるので、分解することによって携帯に便利であり、又使用するたびに組立てるので、見栄えの良い形状に維持できる。さらには、藺草類の結束による複数の空所によって目線部を構成するが、空所の組合せによって任意の模様を構成できるので、目線部の見た目も美しい。
【００１８】
【発明の実施の形態】
以下、本発明を図面に示す具体例に基づいて詳細に説明する。図１ないし図４は本発明に係る藺草類の織物の好ましい実施形態を示し、これは組立て式の深編み笠に適用した例である。図において、深編み笠１０は胴部１１、頂部１２、頭受け部材１７及び円形枠部１３から構成されている。
【００１９】
胴部１１は龍鬢藺草を通常の畳表に比して粗い目で畳み織りされた龍鬢表を素材として円筒状にかつ平坦に折り畳み可能に製作され、上端縁及び下端縁には縁１１０が表裏両面にまたがって被せられて縫合されている。この胴部１１には縦方向に隣接する横糸の間の龍鬢藺草の上端部位と下端部位を横方向に複数目ずつ結束糸で結束して横方向に延びる複数の縦長空所１６が縦方向に四段形成され、該複数の縦長空所１６によって前方を視認するための目線部１４が構成されている。
【００２０】
また、胴部１１には目線部１４の上方及び側に隣接する龍鬢藺草の中央部位を横方向に複数目ずつ結束糸で結束して横方向に延びる複数の菱形空所１６が縦方向に四段形成され、該複数の菱形空所１６によって風通部１５が構成され、上記目線部１４及び風通部１５は胴部１１内において幾何学模様を構成している。
【００２１】
頂部１２は円板状の龍鬢表を素材として製作され、円板状の龍鬢表の周囲には胴部１１の上端開口にピッタリと嵌まり込む外径寸法のフランジ部が起立して形成され、フランジ部の下端部位には縁１２０が表裏両面にまたがって被せられて縫合されるとともに、フランジ部の上端部位には縄１２１が三重に巻き付けて取付けられ、又頂部１２の裏面には布が裏打ちされ、頂部１２の表面中央には紐製の把手１２２が設けられている。
【００２２】
この頂部１２のフランジ部内周面には４つのフック（図示せず）が９０°の角度間隔をあけて取付けられ、該フックには頭受け部材１７から延びる吊下げ部材１７０の先端が引っ掛けられることにより頂部１２には頭受け部材１７が吊り下げられるようになっている。
【００２３】
また、円形枠部１３は帯状の龍鬢表を素材とし、胴部１１の下端開口にピッタリと嵌まり込む外径寸法の円形状に製作され、円形枠部１３の上端部位には縁１３０が表裏両面にまたがって被せられて縫合されるとともに、フランジ部の下端部位には縄１３１が三重に巻き付けて取付けられ、又円形枠部１３の内周面には２つのフック１３２が取付けられ、頭受け部材１７から延びるゴム紐部材の先端が引っ掛けられることにより頭受け部材１７は深編み笠１０内に保持されるようになっている。
【００２４】
本例の深編み笠１０を組み立てる場合、平坦に折り畳まれた胴部１１を円筒状にし、その上端開口に頂部１２の縁１２０の部分を嵌めこみ、胴部１１の下端開口に円形枠部１３の縁部１３０を嵌め込む。
【００２５】
また、頭受け部材１７の吊下げ部材１７０を頂部１２のフックに予め引っ掛け（頂部１２を胴部１１に嵌めた後に引っ掛けるようにしてもよい）、最後に頭受け部材１７のゴム紐部材を円形枠部１３のフック１３２に引っ掛けると、頭受け部材１７を胴部１１内に取り付けることができ、こうして深編み笠１０を組み立てることができる。
【００２６】
深編み笠１０を分解する場合には上記と逆の操作を行えばよい。
【００２７】
本例では深編み笠１０を胴部１１、頂部１２及び円形枠部１３から組み立てるようにしたので、運搬するときには深編み笠１０を分解し、コンパクトな形態にして容易に持ち運ぶことができる。
【００２８】
また、使用するときにはその都度胴部１１、頂部１２及び円形枠部１３を組付ければよく、いびつに変形することはなく、常に所期の形状の深編み笠１０が得られる。
【００２９】
さらに、胴部１１の目線部１４及び風通部１５が幾何学模様を構成しているので、見栄えもよい深編み笠１０が得られる。
【００３０】
図５は第２の実施形態による深編み笠１０を示し、図において図１ないし図４と同一符号は同一又は相当部分を示す。本例では胴部１１に複数の縦長空所１６を縦方向に五段形成して目線部１４とし、目線部１４によってほぼ四角形の模様を構成している。
【００３１】
図６は第３の実施形態を示し、これは衝立２０に適用した例である。本例の衝立２０は枠体２１に龍鬢表２２を張って構成され、龍鬢表２２には縦方向に隣接する横糸の間の龍鬢藺草の中央部位を横方向に複数目ずつ結束糸で結束して横方向に延びる複数の菱形空所１６を複数段にわたって形成し、該複数の菱形空所１６によって円形内にうさぎが餅を突いている模様２３を構成している。
【００３２】
図７は第４の実施形態を示し、これは衝立３０に適用した例である。本例の衝立３０は枠体３１に龍鬢表３２を張って構成され、龍鬢表３２には縦方向に隣接する横糸の間の龍鬢藺草の中央部位を横方向に複数目ずつ結束糸で結束して横方向に延びる複数の菱形空所１６を複数段にわたって形成し、該複数の菱形空所１６によって鳥が飛び立つ模様３３を構成している。
【００３３】
図８及び図９は第５、第６の実施形態を示し、これは衝立４０、５０に適用した例である。本例の衝立４０、５０は枠体４１、５１に龍鬢表４２、５２を張って構成され、龍鬢表４２、５２には縦方向に隣接する横糸の間の龍鬢藺草の中央部位を横方向に複数目ずつ結束糸で結束して横方向に延びる複数の縦長空所又は菱形空所１６を複数段にわたって形成し、該複数の縦長空所及び菱形空所１６によって幾何学模様４３、５３を構成している。
【００３４】
図１０は第７の実施形態を示し、これは壁掛け６０に適用した例である。本例の壁掛け６０は上下の軸６１の間に龍鬢表６２を張って構成され、龍鬢表６２には縦方向に隣接する横糸の間の龍鬢藺草の中央部位を横方向に複数目ずつ結束糸で結束して横方向に延びる複数の菱形空所１６を複数段にわたって形成し、該複数の菱形空所１６によって鳥が飛び立つ模様６３を構成している。
【００３５】
なお、本発明の特徴は複数の藺草を結束して空所を形成し、複数の空所によって模様を構成した藺草織物にあるので、その用途は上記実施例で説明した深編み笠、衝立、壁掛けに限定されず、他の装飾品や実用品にも適用できる。
【図面の簡単な説明】
【図１】本発明に係る藺草類の織物の好ましい実施形態を適用した深編み笠を示す斜視図である。
【図２】上記深い編笠を示す分解図である。
【図３】上記深い編笠における頂部の裏面を示す図である。
【図４】上記深い編笠における円形枠部を示す図である。
【図５】第２の実施形態による深編み笠を示す図である。
【図６】第３の実施形態による衝立を示す図である。
【図７】第４の実施形態による衝立を示す図である。
【図８】第５の実施形態による衝立を示す図である。
【図９】第６の実施形態による衝立を示す図である。
【図１０】第７の実施形態による壁掛けを示す図である。
【符号の説明】
１０      深編み笠
１１      胴部
１２      頂部
１３      円形枠部
１４      目線部
１５      風通部
１６      空所
２０、３０、４０、５０      衝立
２１、３１、４１、５１      枠体
２２、３２、４２、５２      龍鬢表
２３、３３、４３、５３      模様
６０      壁掛け
６１      軸
６２      龍鬢表
６３      模様
【図１】
2004332167.tif 000003
【図２】
2004332167.tif 000004
【図３】
2004332167.tif 000005
【図４】
2004332167.tif 000006
【図５】
2004332167.tif 000007
【図６】
2004332167.tif 000008
【図７】
2004332167.tif 000009
【図８】
2004332167.tif 000010
【図９】
2004332167.tif 000011
【図１０】
2004332167.tif 000012